(57)【要約】【課題】全室内ユニットを一斉に停電自動復帰設定するか停電非自動復帰にするかを簡単に設定できる多室形空気調和機を提供する。【解決手段】１台の室外ユニット１に接続された複数台の室内ユニット２ｎと、室外ユニット１と複数の室内ユニット２ｎ間を通信する通信手段３を有し、室内ユニット１は個別に運転又は停止を行うことができ、電源が所定時間停止して復電した際に記憶装置４ｎに記憶された運転内容データに基づき空気調和の運転を自動的に復帰する停電自動復帰機能を有する空気調和機において、室外ユニット１に、複数の室内ユニット２ｎを一斉に停電自動復帰設定するか停電非自動復帰設定にするかを設定する第１の設定手段５を備えたもので、第１の設定手段５で一斉に停電自動復帰設定するか停電非自動復帰設定にするかを簡単に選択設定することができ、設置施工者の設定手間を軽減することができる。【選択図】図１
2009041830.tif 000002
【特許請求の範囲】
【請求項１】
１台の室外ユニットと、前記室外ユニットに接続された複数台の室内ユニットと、前記室外ユニットと前記複数の室内ユニット間を通信する通信手段を有し、前記室内ユニットは個別に運転又は停止を行うことができ、電源が所定時間停止して復電した際に記憶装置に記憶された運転内容データに基づき空気調和の運転を自動的に復帰する停電自動復帰機能を有する空気調和機において、前記室外ユニットに、前記複数の室内ユニットを一斉に停電自動復帰設定するか停電非自動復帰設定にするかを設定する第１の設定手段を備えたことを特徴とする多室形空気調和機。
【請求項２】
複数の室内ユニットを一斉に停電自動復帰設定するか順次停電自動復帰するかを設定する第２の設定手段を備えたことを特徴とする請求項１に記載の多室形空気調和機。
【請求項３】
順次停電自動復帰を選択した時、順次停電自動復帰する室内ユニットの順番を設定する順番設定手段を備えたことを特徴とする請求項２に記載の多室形空気調和機。
【請求項４】
複数台の室内ユニットに、自己室内ユニットアドレスを設定するアドレス設定手段を設け、室外ユニットに、前記室内ユニット毎に停電自動復帰か停電非自動復帰設定かを設定できる復帰設定手段を備えたことを特徴とする請求項１〜３のいずれか１項に記載の多室形空気調和機。
【請求項５】
室内ユニットに、停電自動復帰が設定されたことが識別できる表示機能を備えたことを特徴とする請求項４に記載の多室形空気調和機。
【発明の詳細な説明】
【技術分野】
【０００１】
本発明は、１台の室外ユニットに複数台の室内ユニットを接続して、冷房もしくは暖房サイクルを構成する多室形空気調和機に関するもので、特に、停電自動復帰設定方法に関するものである。
【背景技術】
【０００２】
従来、この種の空気調和機の停電自動復帰設定は、室内ユニットに停電自動復帰設定機能を設け、室外ユニット１台に対し室内ユニット１台を接続する空気調和機のものがあった（例えば、特許文献１参照）。
【０００３】
図９は、上記特許文献１に記載された従来の空気調和機の制御系統図を示すものである。
【０００４】
図９に示すように、室内ユニット１９と室外ユニット２０は、各１台の構成で接続され、室内ユニット１９には、室内制御部２１と切換えスイッチ２２が装着されている。そして、空気調和機の運転中、電源が所定時間停止し復電した際、室内制御部２１にある記憶装置（図示せず）に記憶された運転内容データに基づき、空気調和運転を自動的に再開するか否かを切換スイッチ２２により設定可能としている。
【特許文献１】特開平１０−１２２６３５号公報
【発明の開示】
【発明が解決しようとする課題】
【０００５】
しかしながら、前記従来の空気調和機の構成では、室内ユニット１９と室外ユニット２０の各１台の空気調和機には適するが、一台の室外ユニット２０に対し室内ユニット１９を複数台接続する多室形空気調和機には対応できず、また、仮に多室形空気調和機には対応したとした場合、接続している複数の室内ユニット２０個々において、切換スイッチ２２で設定する必要があり設定工数が増大するという課題を有していた。
【０００６】
本発明は、前記従来の課題を解決するもので、室外ユニットに接続された全室内ユニットを一斉に停電自動復帰設定するか停電非自動復帰にするかを簡単に設定できる多室形空気調和機を提供することを目的とする。
【課題を解決するための手段】
【０００７】
前記従来の課題を解決するために、本発明の多室形空気調和機は、１台の室外ユニットと、前記室外ユニットに接続された複数台の室内ユニットと、前記室外ユニットと前記複数の室内ユニット間を通信する通信手段を有し、前記室内ユニットは個別に運転又は停止を行うことができ、電源が所定時間停止して復電した際に記憶装置に記憶された運転内容データに基づき空気調和の運転を自動的に復帰する停電自動復帰機能を有する空気調和機において、前記室外ユニットに、前記複数の室内ユニットを一斉に停電自動復帰設定するか停電非自動復帰設定にするかを設定する第１の設定手段を備えたもので、室外ユニットに接続された複数の室内ユニットを室外ユニットに装着した第１の設定手段で一斉に停電自動復帰設定するか停電非自動復帰設定にするかを選択設定することができ、設置施工者の設定手間を軽減することができる。また、室外ユニットに接続された全室内ユニットを確実に設定洩れすることなく、停電自動復帰か停電非自動復帰設定かを選択設定することができる。
【発明の効果】
【０００８】
本発明の多室形空気調和機は、室外ユニットに接続された複数の室内ユニットを室外ユニットに装着した第１の設定手段で一斉に停電自動復帰設定するか停電非自動復帰設定にするかを選択設定することができる。
【発明を実施するための最良の形態】
【０００９】
第１の発明は、１台の室外ユニットと、前記室外ユニットに接続された複数台の室内ユニットと、前記室外ユニットと前記複数の室内ユニット間を通信する通信手段を有し、前記室内ユニットは個別に運転又は停止を行うことができ、電源が所定時間停止して復電した際に記憶装置に記憶された運転内容データに基づき空気調和の運転を自動的に復帰する停電自動復帰機能を有する空気調和機において、前記室外ユニットに、前記複数の室内ユニットを一斉に停電自動復帰設定するか停電非自動復帰設定にするかを設定する第１の設定手段を備えたもので、室外ユニットに接続された複数の室内ユニットを室外ユニットに装着した第１の設定手段で一斉に停電自動復帰設定するか停電非自動復帰設定にするかを選択設定することができ、設置施工者の設定手間を軽減することができる。また、室外ユニットに接続された全室内ユニットを確実に設定洩れすることなく、停電自動復帰か停電非自動復帰設定かを選択設定することができる。
【００１０】
第２の発明は、特に、第１の発明の複数の室内ユニットを一斉に停電自動復帰設定するか順次停電自動復帰するかを設定する第２の設定手段を備えたもので、室外ユニットに接続された複数の室内ユニットを一斉に停電自動復帰設定するか順次停電自動復帰するかを選択設定することができ、一斉に停電自動復帰した場合、起動時の始動電流により電力設備に影響がある空気調和機や建物において、室内ユニット毎に復帰タイミングを遅延することが可能な順次停電自動復帰を室外ユニットから選択設定することができる。
【００１１】
第３の発明は、特に、第２の発明の順次停電自動復帰を選択した時、順次停電自動復帰する室内ユニットの順番を設定する順番設定手段を備えたもので、室内ユニットの設置場所に応じて空気調和運転を復帰する優先順位を設定することができる。
【００１２】
第４の発明は、特に、第１〜３のいずれか一つの発明の複数台の室内ユニットに、自己室内ユニットアドレスを設定するアドレス設定手段を設け、室外ユニットに、前記室内ユニット毎に停電自動復帰か停電非自動復帰設定かを設定できる復帰設定手段を備えたもので、室内ユニットの設置場所により停電後自動復帰して運転を再開することで、ユーザーに危険がおよぶ可能性のある室内ユニットを停電非自動復帰設定に室外ユニットより選択設定することができる。
【００１３】
第５の発明は、特に、第４の発明の室内ユニットに、停電自動復帰が設定されたことが識別できる表示機能を備えたもので、室内ユニット毎に停電自動復帰か停電非自動復帰設定かを選択設定した際、選択設定の正当性を確認することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における多室形空気調和機の制御構成概念図、図２は、同多室形空気調和機のフローチャートである。
【００１６】
図１において、本実施の形態における多室形空気調和機は、一台の室外ユニット１と、室外ユニット１に複数接続された室内ユニット２ａ、２ｂ、２ｃ――２ｎ（以下「室内ユニット２ｎ」という）から構成され、室外ユニット１と、複数の室内ユニット２ｎは、通信手段３で接続されており、室内ユニット２ｎのそれぞれには、運転内容データと停電自
動復帰設定を記憶する記憶装置４ａ、４ｂ、４ｃ――４ｎ（以下「記憶装置４ｎ」という）が装着されている。室外ユニット１には、接続された全ての室内ユニット２ｎを、一斉に停電自動復帰設定にするか停電非自動復帰設定にするかの選択設定をする第１の設定手段５を有している。
【００１７】
図１および図２により、本実施の形態における多室形空気調和機の動作、作用について説明する。
【００１８】
電源投入（ＳＴＥＰ０）した際、停電自動復帰の第１の設定手段５の設定状態すなわち停電自動復帰設定か否かを判定（ＳＴＥＰ１）し、停電自動復帰設定（ＳＴＥＰ１のＹｅｓ）となっていれば、接続された全ての室内ユニット２ｎに対し、通信手段３で停電自動復帰設定（ＳＴＥＰ２）する。この時、室内ユニット２ｎのそれぞれに装着している記憶装置４ｎに、停電自動復帰設定を記憶する。
【００１９】
空気調和運転（ＳＴＥＰ４）開始後、電源が所定時間停止後、復電した場合（ＳＴＥＰ５のＹｅｓ）、記憶装置４ｎに記憶された運転内容データに基づき空気調和運転を開始する。記憶装置４ｎに基づき、停電非自動復帰設定（ＳＴＥＰ１のＮｏ）となっていれば、接続された全室内ユニット２ｎに対し、通信手段３で、停電非自動復帰設定（ＳＴＥＰ３）し、電源が所定時間停止（ＳＴＥＰ６）した後、空気調和運転を停止（ＳＴＥＰ７）する。
【００２０】
以上のように本実施の形態によれば、室外ユニット１に接続された複数の室内ユニット２を、室外ユニット１に装着した第１の設定手段５で一斉に停電自動復帰設定するか停電非自動復帰設定にするかを選択設定することができ設置施工者の設定手間を軽減することができる。また、室外ユニット１に接続された全室内ユニット２を、確実に設定洩れすることなく停電自動復帰か停電非自動復帰設定かを選択設定することができる。
【００２１】
（実施の形態２）
図３は、本発明の第２の実施の形態における多室形空気調和機の制御構成概念図、図４は、同多室形空気調和機のフローチャートである。なお、上記第１の実施の形態における多室形空気調和機と同一部分には、同一符号を付してその説明を省略する。
【００２２】
本実施の形態は、室外ユニット１に、接続された全室内ユニット２ｎを一斉に停電自動復帰設定にするか順次停電自動復帰設定にするかの選択設定をする第２の設定手段６を装着している。また、室内ユニット２ｎのそれぞれには、自己室内ユニットアドレスを設定するアドレス設定手段７ａ、７ｂ、７ｃ――７ｎ）（以下「アドレス設定手段７ｎ」という）を装着している。
【００２３】
次に、本実施の形態における多室形空気調和機の動作、作用について説明する。
【００２４】
電源投入（ＳＴＥＰ０）した際、停電自動復帰の第１の設定手段５の設定状態すなわち停電自動復帰設定か否かを判定（ＳＴＥＰ１）し、停電自動復帰設定（ＳＴＥＰ１のＹｅｓ）となっていれば、順次停電自動復帰の第２の設定手段６の設定状態すなわち順次自動復帰か一斉自動復帰かの判定（ＳＴＥＰ１１）し、順次停電自動復帰設定（ＳＴＥＰ１１のＹｅｓ）であれば、全室内ユニット２ｎに対し、通信手段３で順次停電自動復帰設定（ＳＴＥＰ１２）する。
【００２５】
この時各室内ユニット２ｎに装着している記憶装置４ｎに、停電自動復帰設定を記憶する。空気調和運転（ＳＴＥＰ４）開始後、電源が所定時間停止後、復電した場合（ＳＴＥＰ１５のＹｅｓ）、順次空気調和運転再開処理（ＳＴＥＰ１７）で、接続室内ユニット２
ｎに対し、アドレス設定手段７ｎで設定されたアドレスの小さい順に順次運転再開信号を送信する。
【００２６】
各室内ユニット２ｎは、順次空気調和運転再開処理（ＳＴＥＰ１７）からの信号により、記憶装置４ｎに記憶された運転内容データに基づいて空気調和運転を開始する。
【００２７】
順次停電自動復帰設定でなければ（ＳＴＥＰ１１のＮｏ）、接続された全室内ユニット２ｎに対し、通信手段３で、停電自動復帰設定（ＳＴＥＰ２）する。この時、各室内ユニット２ｎに装着している記憶装置４ｎに、停電自動復帰設定を記憶する。空気調和運転（ＳＴＥＰ４）開始後、電源が所定時間停止後、復電した場合（ＳＴＥＰ５のＹｅｓ）、記憶装置４ｎに記憶された運転内容データに基づき空気調和運転を一斉に停電自動復帰し運転を開始（ＳＴＥＰ４）する。
【００２８】
以上のように本実施の形態によれば、室外ユニット１に接続された複数の室内ユニット２ｎを一斉に停電自動復帰設定するか順次停電自動復帰するかを選択設定することができ、一斉に停電自動復帰した場合、起動時の始動電流により電力設備に影響がある空気調和機や建物において、室内ユニット２ｎ毎に復帰タイミングを遅延することが可能な順次停電自動復帰を室外ユニット１から選択設定することができる。
【００２９】
（実施の形態３）
図５は、本発明の第３の実施の形態における多室形空気調和機の制御構成概念図、図６は、同多室形空気調和機のフローチャートである。なお、上記実施の形態における多室形空気調和機と同一部分には、同一符号を付してその説明を省略する。
【００３０】
本実施の形態は、室外ユニット１に、順次停電自動復帰する機器の順番を設定する順番設定手段８を装着したもので、他の構成は、上記実施の形態における多室形空気調和機と同一である。
【００３１】
図５及び図６により、本実施の形態における多室形空気調和機の動作、作用について説明する。
【００３２】
電源投入（ＳＴＥＰ０）した際、停電自動復帰の第１の設定手段５の設定状態すなわち停電自動復帰設定か否かを判定（ＳＴＥＰ１）し、停電自動復帰設定（ＳＴＥＰ１のＹｅｓ）となっていれば、順次停電自動復帰の第２の設定手段６の設定状態すなわち順次自動復帰か一斉自動復帰かの判定（ＳＴＥＰ１１）し、順次停電自動復帰設定（ＳＴＥＰ１１のＹｅｓ）であれば、室外ユニット１の順次停電自動復帰する室内ユニット２ｎの順番を設定する順番設定手段８で、順次起動順番設定（ＳＴＥＰ２８）を行い、接続された全室内ユニット２ｎに対し、通信手段３で、順次停電自動復帰設定（ＳＴＥＰ１２）する。
【００３３】
この時、各室内ユニット２ｎに装着している記憶装置４ｎに、停電自動復帰設定を記憶する。空気調和運転（ＳＴＥＰ４）開始後、電源が所定時間停止後、復電した場合（ＳＴＥＰ１５のＹｅｓ）、順番設定順次空気調和運転再開処理（ＳＴＥＰ２７）で、順次起動順番設定（ＳＴＥＰ２８）で設定した順番に従い、順次室内ユニット２ｎに、運転再開信号を送信する。各室内ユニット２ｎは、記憶装置４ｎに記憶された運転内容データに基づいて空気調和運転を開始する。
【００３４】
以上のように本実施の形態によれば、室内ユニット２ｎの設置場所に応じて空気調和を復帰する優先順位を設定することができる。
【００３５】
（実施の形態４）
図７は、本発明の第４の実施の形態における多室形空気調和機の制御構成概念図である。なお、上記実施の形態における多室形空気調和機と同一部分には、同一符号を付してその説明を省略する。
【００３６】
本実施の形態は、室外ユニット１に、各室内ユニット２ｎ毎に、停電自動復帰設定か停電非自動復帰設定を設定する復帰設定手段９を装着したものである。
【００３７】
図７により、本実施の形態における多室形空気調和機の動作、作用について説明する。
【００３８】
室外ユニット１に装着した各室内ユニット２ｎ毎に、停電自動復帰設定か停電非自動復帰設定を設定する復帰設定手段９で、各室内ユニット２ｎのアドレス設定手段７ｎで設定された自己室内ユニットアドレス毎に停電自動復帰設定か停電非自動復帰設定を設定する。
【００３９】
以上のように本実施の形態によれば、室内ユニット２ｎの設置場所により、停電後自動復帰して運転を再開することでユーザーに危険がおよぶ可能性のある室内ユニット２ｎを停電非自動復帰設定に室外ユニット１より選択設定することができる。
【００４０】
（実施の形態５）
図８は、本発明の第５の実施の形態における多室形空気調和機の制御構成概念図である。なお、上記実施の形態における多室形空気調和機と同一部分には、同一符号を付してその説明を省略する。
【００４１】
本実施の形態は、各室内ユニット２ｎに、停電自動復帰設定されたことを識別できる表示機能１０ａ、１０ｂ、―――１０ｎ（以下「表示機能１０ｎ」という）を装着したものである。
【００４２】
図８により、本実施の形態における多室形空気調和機の動作、作用について説明する。
【００４３】
室外ユニット１に装着した各室内ユニット２ｎ毎に、停電自動復帰設定か停電非自動復帰設定を設定する復帰設定手段９で、各室内ユニット２ｎのアドレス設定手段７ｎで設定された自己室内ユニットアドレス毎に、停電自動復帰設定か停電非自動復帰設定を設定する。各室内ユニット２ｎに装着した表示機能１０ｎは、室外ユニット１に装着した各室内ユニット２ｎ毎に、停電自動復帰設定か停電非自動復帰設定を設定する復帰設定手段９で設定された状態を表示する。
【００４４】
以上のように本実施の形態によれば、接続された室内ユニット２ｎ毎に停電自動復帰か停電非自動復帰設定かを選択設定した際、選択設定の正当性を確認することができる。
【産業上の利用可能性】
【００４５】
以上のように、本発明にかかる多室形空気調和機は、室外ユニットに接続された複数の室内ユニットを、室外ユニットに装着した第１の設定手段で一斉に停電自動復帰設定するか停電非自動復帰設定にするかを選択設定することができるので、蓄熱式多室形空気調和機等にも適用できる。
【図面の簡単な説明】
【００４６】
【図１】本発明の実施の形態１における多室形空気調和機の制御構成概念図
【図２】同多室形空気調和機のフローチャート
【図３】本発明の実施の形態２における多室形空気調和機の制御構成概念図
【図４】同多室形空気調和機のフローチャート
【図５】本発明の実施の形態３における多室形空気調和機の制御構成概念図
【図６】同多室形空気調和機のフローチャート
【図７】本発明の実施の形態４における多室形空気調和機の制御構成概念図
【図８】本発明の実施の形態５における多室形空気調和機の制御構成概念図
【図９】従来の多室形空気調和機の制御系統図
【符号の説明】
【００４７】
１  室外ユニット
２ａ、２ｂ――２ｎ  室内ユニット
３  通信手段
４ａ、４ｂ――４ｎ  記憶装置
５  第１の設定手段
６  第２の設定手段
１０ａ、１０ｂ――１０ｎ  表示機能
【図１】
2009041830.tif 000003
【図２】
2009041830.tif 000004
【図３】
2009041830.tif 000005
【図４】
2009041830.tif 000006
【図５】
2009041830.tif 000007
【図６】
2009041830.tif 000008
【図７】
2009041830.tif 000009
【図８】
2009041830.tif 000010
【図９】
2009041830.tif 000011